(57)【要約】【課題】帯電過多による帯電電位のムラを効果的に抑え、長期にわたって高品質の画像を得ることのできる接触帯電装置及び画像形成装置を得る。【解決手段】矢印Ａ方向に回転する感光体ドラム１に接触して帯電させるための接触帯電装置２であって、帯電ブラシ２４からなる接触帯電部材２１と、該接触帯電部材２１の矢印Ａ方向下流側に設けたフィルム状の接触除電部材３１とを備えている。接触帯電部材２１による平均帯電電位Ｖｏ１よりも絶対値が高い電位を接触除電部材３１で平均電位Ｖｏ２に除電する。その除電電位は、−５０≦Ｖｏ１−Ｖｏ２≦０である。【選択図】  図２
2004287236.tif 000002
【特許請求の範囲】
【請求項１】
一方向に回転する静電潜像担持体の表面を所定の電位に帯電させる接触帯電部材と、該接触帯電部材の静電潜像担持体の回転方向下流側に設けた接触除電部材とを備え、
前記接触帯電部材による平均帯電電位Ｖｏ１よりも絶対値が高い電位を前記接触除電部材で平均電位Ｖｏ２に除電し、かつ、除電電位は−５０≦Ｖｏ１−Ｖｏ２≦０であること、を特徴とする接触帯電装置。
【請求項２】
一方向に回転する静電潜像担持体と、
前記静電潜像担持体の表面を所定の電位に帯電させる接触帯電部材と、
前記接触帯電部材の静電潜像担持体の回転方向下流側に設けた接触除電部材と、
前記静電潜像担持体の表面に静電潜像を形成するための露光手段と、
前記静電潜像担持体の表面に形成された静電潜像を現像するための現像手段と、を備え、
前記接触帯電部材による平均帯電電位Ｖｏ１よりも絶対値が高い電位を前記接触除電部材で平均電位Ｖｏ２に除電し、かつ、除電電位は−５０≦Ｖｏ１−Ｖｏ２≦０であること、を特徴とする画像形成装置。
【請求項３】
前記接触除電部材は静電潜像担持体に対して面で接触する部材であることを特徴とする請求項１に記載の接触帯電装置又は請求項２に記載の画像形成装置。
【請求項４】
前記接触帯電部材及び接触除電部材には直流電圧が印加されることを特徴とする請求項１に記載の接触帯電装置又は請求項２に記載の画像形成装置。
【請求項５】
前記接触帯電部材による帯電電位がマイナスの場合、前記接触除電部材に印加される電圧Ｖ２は、Ｖｏ１＋Ｖｔｈ−１００≦Ｖ２≦Ｖｏ１＋Ｖｔｈ＋５０であること、
但し、電圧Ｖｔｈは、接触帯電部材に電圧を印加することなく接触除電部材に接触帯電部材への印加電圧に相当する電圧Ｖ３を印加した際の静電潜像担持体の帯電電位Ｖｏ３との関係において絶対値（Ｖ３−Ｖｏ３）を意味する、を特徴とする請求項１に記載の接触帯電装置又は請求項２に記載の画像形成装置。
【発明の詳細な説明】
【０００１】
【発明の属する技術分野】
本発明は、接触帯電装置及び画像形成装置、特に、電子写真方式にて静電潜像担持体上に画像を形成するに先立って該静電潜像担持体を所定の表面電位に均一に帯電するための接触帯電装置及び該帯電装置を備えた画像形成装置に関する。
【０００２】
【発明の背景】
電子写真プロセスによる画像形成装置において、静電潜像担持体（感光体）への帯電手段としては、従来、コロナ放電装置が広く用いられてきた。コロナ帯電装置は、感光体の表面を均一にかつ所定の電位に帯電する方法としては有効ではある。しかし、人体に有害であるオゾンが発生することや、帯電効率が悪いために高電圧を印加しなければならないという問題点を有している。
【０００３】
前記問題点を解決できる帯電手段として接触帯電装置が知られており、接触帯電部材としては繊維で構成されたファーブラシ、ローラ、ブレード、磁気ブラシなとが使用されている。
【０００４】
接触帯電装置は、コロナ帯電装置に比べてオゾンの発生が少なく、帯電効率がよいという利点を有している。しかし、帯電電位の不足もしくは過多による微小な点状の帯電ムラが発生しやすい。帯電不足は、接触帯電部材の抵抗値が高い場合、トナー微粉や微小な異物の付着により感光体と接触帯電部材との空隙が広くなることによって生じる。帯電過多は、接触帯電部材の抵抗値が低い場合、接触帯電部材自体の形状に問題があったり汚れの付着によって突起形状になっている場合に生じる。
【０００５】
高い帯電ムラを抑えてほぼ均一な表面電位を得る方法としては、汚れを防止することで帯電過多の主要因を断つこと、接触帯電部材に交流電圧を重畳すること、が考えられる。しかし、汚れを完全に防止することは実際上困難である。また、交流電圧を重畳することは、帯電過多にそれなりの効果を発揮するものの、電源のコストアップを招来し、騒音対策のために感光体に防音材を設ける必要がある。同時に、接触帯電部材の汚れを加速すること、感光体の劣化を早めるなどの問題点も生じる。
【０００６】
特に、ファーブラシを使用した接触帯電装置にあっては、感光体との間で回転速度差を設けることができるために帯電不足を補う能力は優れている。しかし、帯電過多の防止策である、繊維の抵抗値を制御することや、繊維の先端形状を制御することは、使用される繊維の量が膨大であることなどから困難であった。また、交流電圧を重畳することは繊維が振動することによってかえって帯電ムラが大きくなり、結果的に画像の品質が低下することを回避できなかった。
【０００７】
【従来の技術と課題】
【特許文献１】特開２００２−１６９３５８号公報
【特許文献２】特開平６−２０２４３１号公報
【０００８】
特許文献１，２には、いずれも、感光体への接触帯電部材の下流側に除電部材を設け、該除電部材によってノイズ成分のみならず帯電電位自体を全体的に低下させる接触帯電装置が開示されている。
【０００９】
しかしながら、前述の如く、帯電電位を全体的に除電することでノイズ成分を除去する方式では、初期的には安定した電位を得られるが、長時間の稼働によって除電部材に汚れが付着しやすく、汚れの付着によってかえって電位ムラが発生するという問題点を有している。
【００１０】
そこで、本発明の目的は、帯電過多による帯電電位のムラを効果的に抑え、長期にわたって高品質の画像を得ることのできる接触帯電装置及び画像形成装置を提供することにある。
【００１１】
【発明の構成、作用及び効果】
以上の目的を達成するため、第１の発明に係る接触帯電装置は、一方向に回転する静電潜像担持体の表面を所定の電位に帯電させる接触帯電部材と、該接触帯電部材の静電潜像担持体の回転方向下流側に設けた接触除電部材とを備え、前記接触帯電部材による平均帯電電位Ｖｏ１よりも絶対値が高い電位を前記接触除電部材で平均電位Ｖｏ２に除電し、かつ、除電電位は−５０≦Ｖｏ１−Ｖｏ２≦０であることを特徴とする。
【００１２】
また、第２の発明に係る画像形成装置は、一方向に回転する静電潜像担持体と、該静電潜像担持体の表面を所定の電位に帯電させる接触帯電部材と、該接触帯電部材の静電潜像担持体の回転方向下流側に設けた接触除電部材と、前記静電潜像担持体の表面に静電潜像を形成するための露光手段と、前記静電潜像担持体の表面に形成された静電潜像を現像するための現像手段と、を備え、前記接触帯電部材による平均帯電電位Ｖｏ１よりも絶対値が高い電位を前記接触除電部材で平均電位Ｖｏ２に除電し、かつ、除電電位は−５０≦Ｖｏ１−Ｖｏ２≦０であることを特徴とする。
【００１３】
本発明に係る接触帯電装置及び画像形成装置にあっては、接触帯電部材の下流側に設けた接触除電部材によって、接触帯電部材によって平均帯電電位Ｖｏ１に一旦帯電された電位を平均電位Ｖｏ２に除電する。電位Ｖｏ１と電位Ｖｏ２との差は、−５０〜０Ｖである。即ち、平均帯電電位Ｖｏ１よりも絶対値が高い帯電過多による電位ムラのみが除電され、静電潜像担持体はほぼ平均帯電電位Ｖｏ１近傍の均一な電位に帯電されることになり、高品位の画像を得ることが可能になる。
【００１４】
本発明に係る接触帯電装置及び画像形成装置において、接触除電部材は静電潜像担持体に対して面で接触する部材、例えば、フィルム状の部材であることがより確実な除電作用を期待できる点で好ましい。また、接触帯電部材及び接触除電部材には直流電圧が印加されることが好ましい。交流電圧を重畳しないので、静電潜像担持体の防音対策が不要となり、接触帯電部材や接触除電部材への汚れの付着を抑えることができる。また、電源は接触帯電部材及び接触除電部材に共通に用いれば、電源部のコストを低減することができる。
【００１５】
さらに、本発明に係る接触帯電装置及び画像形成装置において、接触帯電部材による帯電電位がマイナスの場合、接触除電部材に印加される電圧Ｖ２は、Ｖｏ１＋Ｖｔｈ−１００≦Ｖ２≦Ｖｏ１＋Ｖｔｈ＋５０であることが好ましい。但し、電圧Ｖｔｈは、接触帯電部材に電圧を印加することなく接触除電部材に接触帯電部材への印加電圧に相当する電圧Ｖ３を印加した際の静電潜像担持体の帯電電位Ｖｏ３との関係において絶対値（Ｖ３−Ｖｏ３）を意味する。
【００１６】
【発明の実施の形態】
以下、本発明に係る接触帯電装置及び画像形成装置の実施形態について、添付図面を参照して説明する。
【００１７】
（画像形成装置、図１参照）
まず、図１を参照して画像形成装置の一例についてその構成及び画像形成動作の概略を説明する。この画像形成装置は、モノカラーのレーザプリンタとして構成したもので、感光体ドラム１の周囲に、接触帯電装置２、レーザ露光光学装置３、現像装置４、転写チャージャ５、残留トナーのクリーニング装置６などを配置したものである。
【００１８】
感光体ドラム１は、矢印Ａ方向に一定の速度で回転駆動され、以下に詳述する接触帯電装置２にて所定の表面電位に均一に帯電され、レーザ露光光学装置３からのレーザビームの走査露光によって静電潜像が形成される。この静電潜像は現像装置４にて現像され、転写チャージャ５からの電界付与によって矢印Ｂ方向に搬送されるシート上に転写される。感光体ドラム１は転写後も回転を続け、クリーニング装置６によって残留トナーが払拭され、次回の画像形成に備える。
【００１９】
この種の画像形成装置において、トナーは感光体ドラム１の帯電極性と同極性に帯電されており、現像装置４では反転現像が行われる。例えば、感光体ドラム１の帯電極性がマイナスの場合、トナーもマイナスに帯電され、該トナーは露光によって電位が低下した画像部に付着する。転写チャージャ５の放電極性はプラスである。
【００２０】
なお、現像方式としては、トナーのみの１成分系現像剤を用いる方法、トナーとキャリアによる２成分系現像剤を用いる方法、現像ローラ４ａを感光体ドラム１の表面に接触させる方法、接触させない方法など、種々の方法が知られており、何れの現像方法を用いてもよい。
【００２１】
（接触帯電装置、図２〜図５参照）
接触帯電装置２は、図２に示すように、感光体ドラム１の表面に接触させた状態で電圧を印加することにより、感光体ドラム１の表面を所定の電位に帯電させる接触帯電部材２１と、該接触帯電部材２１の感光体ドラム１の回転方向下流側に設けた接触除電部材３１とで構成されている。
【００２２】
接触帯電部材２１は、図３及び図４に示すように、導電性支持体２２の外周面に、基布２３に多数の導電性繊維を植毛した帯電ブラシ２４を巻き付けたローラ体として構成されている。また、接触除電部材３１は、図２に示すように、導電性支持体３２に取り付けた導電性フィルムから構成されている。
【００２３】
導電性支持体２２、３２は、ステンレス、アルミニウム等の金属材からなるが、導電性材料であればこれらに限定されない。
【００２４】
接触帯電部材２１を構成する導電性繊維は、合成樹脂材料に導電性材料を混合して繊維状に成形したものである。合成樹脂材料としては、ナイロン等のポリアミド、レーヨン、ポリエステル、ポリオレフィン、ポリカーボネート、ポリウレタン、アクリルを用いることができ、ナイロンを主成分とすることが好ましい。
但し、これらに限定するものではない。導電性材料としては、導電性カーボン、金属粉体、酸化亜鉛、酸化チタン、酸化錫等を用いることができ、前記合成樹脂中に均一に混合できる材料であればこれらに限定されない。
【００２５】
基布２３に前記導電性繊維を植毛した帯電ブラシ２４を導電性支持体２２の外周面に巻き付ける方法は、例えば、図３に示されているように、帯状の帯電ブラシ２４を支持体２２へスパイラル状に巻き付ける方法が容易である。但し、帯電ブラシ２４を隙間なく巻き付けることができれば、この方法に限定するものではない。
【００２６】
帯電ブラシ２４の隙間が大きいと巻き目のむらが生じ、巻き目部分の導電性繊維の密度が低くなるため、帯電不良が生じるおそれがあり、好ましくない。
【００２７】
導電性繊維に関して、その太さは１．５〜６デニール、植毛密度は、７００００〜６０００００フィラメント／ｉｎｃｈ２、長さは２〜６ｍｍが好ましい。帯電ブラシ２４を支持体２２に巻き付けた後、導電性繊維の長さを均一に揃えただけの直毛状態でもよいが、導電性繊維の先端が一定方向にカールされた斜毛状態に処理すればさらに良好な帯電を図ることができる。斜毛処理は、導電性繊維に熱を加えてカールさせる方法、通電による方法等があるが、これらに限定するものではない。
【００２８】
帯電ブラシ２４は、図３に示すように、フレーム２５，２６に回転駆動可能に取り付けられている。感光体ドラム１への帯電ブラシ２４の押し込み量は、０．２〜０．８ｍｍが好ましいが、帯電不足が生じない範囲で任意に設定することができる。
【００２９】
帯電ブラシ２４の回転方向は、感光体ドラム１の回転方向に対して同方向（ウィズ方向）又は反対方向（カウンター方向）のいずれでもよい。そして、帯電ブラシ２４の周速度と感光体ドラム１の周速度とに差を設けてもよく、帯電ブラシ２４の周速比を１より大きくすることで帯電の均一性を向上させることができる。本発明者らの実験によれば、帯電ブラシ２４をカウンター方向に回転させ、帯電ブラシ２４の周速比を１．５〜３に設定することで好ましい結果が得られた。
【００３０】
なお、接触帯電部材２１の構造、形状としては帯電ブラシ２４に限定するものではなく、ローラ、ベルト、磁気ブラシ等の回転体であってもよい。また、固定ブラシ、ブレード、フィルム等の、感光体ドラム１に対して静止状態で接触する構成であってもよい。
【００３１】
接触除電部材３１は、前記接触帯電部材２１によって帯電された電位の微小スポット状の過多部分を放電により除電するためのものであり、合成樹脂材料に導電性材料を混合したフィルム状であることが好ましい。合成樹脂材料としては、ナイロン等のポリアミド、ポリイミド、ポリエステル、ポリオレフィン、ポリカーボネート、ポリウレタン、アクリル、ポリエチレンを用いることができるが、これらに限定されない。導電性材料としては、導電性カーボン、金属粉体、酸化亜鉛、酸化チタン、酸化錫等を用いることができ、前記合成樹脂中に均一に混合できる材料であればこれらに限定されない。
【００３２】
接触除電部材３１の厚みは任意であるが、比較的薄いものであれば、感光体ドラム１への静電吸着力を利用して安定的な接触が得られる。比較的厚いものであっても、その弾性力を利用して感光体ドラム１に圧接させて安定的な接触が得られる。
【００３３】
接触除電部材３１はフィルム状のものに限定することはないが、確実に帯電過多部分の電位を除電するために感光体ドラム１に対して面状に接触する部材であることが好ましい。接触除電部材３１の他の形状としては、ブレード状、ローラ状などを採用することができる。
【００３４】
以上の構成からなる接触帯電装置２の電源部は、図２に示すように、直流の定電圧電源４１と、ツェナダイオード４２と、抵抗器４３とで構成されている。接触帯電部材２１に印加される電圧は直流電圧であって−１６００〜−８００Ｖが好ましく、接触除電部材３１に印加される電圧は直流電圧であって−７００〜＋３００Ｖが好ましいが、この範囲に限定するものではない。なお、具体的に印加される電圧値については以下の実験例に示されている。
【００３５】
なお、接触帯電部材２１及び接触除電部材３１に印加される電圧には、直流電圧に交流電圧を重畳してもよいが、前記問題点が発生することを考慮すると、直流電圧のみを印加するほうが好ましい。
【００３６】
接触除電部材３１に対しては定電圧電源４１からツェナダイオード４２を介して所定の電圧値に落として印加する。このように、電源４１を接触帯電部材２１と接触除電部材３１とで共通化することにより、電源部のコストダウンを図ることができる。なお、ツェナダイオードに代えて、抵抗器によって所定電圧に設定する方法、ツェナダイオードと可変抵抗器を組み合わせて電圧を調整する方法などを採用してもよい。勿論、接触除電部材３１に専用の電源を用意してもよい。
【００３７】
接触除電部材３１への印加電圧値は、環境あるいは稼働に起因する感光体ドラム１の劣化（例えば、感光体膜の削れ）に応じて変更することが好ましいが、固定値であっても構わない。
【００３８】
（実験例の説明）
以下に、本発明者らが行った実験例及び比較例について説明する。まず、実験例及び比較例で使用した帯電ブラシについて説明する。
【００３９】
帯電ブラシはその導電性繊維をナイロンに導電性カーボンを分散したものを素材として製作した。導電性繊維の太さは２デニール、植毛密度は３０００００フィラメント／ｉｎｃｈ２である。この帯電ブラシを外径６ｍｍのステンレス製シャフトに螺旋状に巻き付けた後、ブラシの表面が均一になるように導電性繊維をカットした。カット処理後にブラシの外径が１２．５ｍｍになるように、熱処理でカールさせた。
【００４０】
接触除電部材にはポリイミドにカーボンを分散したフィルムを用いた。フィルムの厚みは１００μｍであり、感光体ドラムの表面に安定して接触するように設置した。フィルムの先端は放電が起きないように感光体ドラムとは接触しないように配置した。
【００４１】
次に、画像形成方法について説明する。画像形成装置としては図１に示したモノクロプリンタを使用した。画像形成の設定条件は以下のとおりである。
【００４２】
帯電印加電圧：直流マイナス電圧
帯電ブラシ回転方向：カウンター方向で周速比２
帯電ブラシ押込み量：０．５ｍｍ
現像バイアス電圧（直流成分）：−３５０Ｖ
現像バイアス電圧（交流成分）：１．５ｋＶ
感光体ドラム周速度：１６０ｍｍ／ｓｅｃ
【００４３】
実験例１〜６及び比較例１，２は、前記レーザプリンタを用いて前記設定条件で、２５℃、５０％ＲＨの環境下で画像を形成した。それらの結果を表１に示す。表１において接触帯電部材に対する印加電圧はＶ１であり、接触除電部材に対する印加電圧はＶ２である。
【００４４】
【表１】
2004287236.tif 000003
【００４５】
これらの実験例１〜６及び比較例１，２において、帯電均一性の評価は、黒／白比５％のモノクロ画像を５０００枚出力後に、２×２ドットのハーフトーン画像を出力し、目視観察で以下の判断を行った。
◎：画像品質が優れている
○：若干画像ムラが認められるが、実用上問題がない
×：画像ムラが著しく、実用上問題がある
【００４６】
画像ムラは放電過多による白いムラと、放電不足もしくは除電し過ぎによる黒いムラとがある。その２項目に分けて評価し、◎及び○を合格とした。
【００４７】
表１から明らかなように、接触帯電部材の下流側に接触除電部材を設けてそれぞれへの印加電圧Ｖ１，Ｖ２を所定の値に制御することにより、帯電電位Ｖｏ１及び除電後の電位Ｖｏ２を好ましい値とした実験例１〜６にあっては、白い画像ムラ及び黒い画像ムラは満足できる程度に解消されていた。
【００４８】
但し、比較例１の如く、接触除電部材への印加電圧をプラス側に設定して除電し過ぎると、白い画像ムラは解消するが黒い画像ムラの発生が見られた。これは、接触除電部材に汚れが付着しやすくなることに起因する。
【００４９】
そこで、接触帯電部材による平均帯電電位Ｖｏ１と接触除電部材での除電後の平均電位Ｖｏ２との電位差Ｖｏ１−Ｖｏ２は小さい方が好ましく、特に、−５０≦Ｖｏ１−Ｖｏ２≦０であることが好ましい。
【００５０】
そして、接触除電部材に印加する電圧Ｖ２は、Ｖ２≦Ｖｏ１＋Ｖｔｈ＋５０であることが好ましい。この場合、電圧Ｖｔｈは、接触帯電部材に電圧を印加することなく接触除電部材に接触帯電部材への印加電圧に相当する電圧Ｖ３を印加した際の感光体の帯電電位Ｖｏ３との関係において絶対値（Ｖ３−Ｖｏ３）を意味する。
【００５１】
逆に、マイナス側にあまり除電しない設定にすると、白い画像ムラの発生を抑え切れなくなる。そのためには、接触除電部材に印加する電圧Ｖ２を放電過多の部分のみを除電するＶｏ１＋Ｖｔｈに近い設定にすることが必要となる。特に、Ｖｏ１＋Ｖｔｈ−１００≦Ｖ２であることが好ましい。
【００５２】
なお、前述した印加電圧Ｖ２の好ましい範囲は、実験例１〜６の如く接触帯電部材による帯電電位がマイナスの場合であるが、帯電電位がプラスの場合も同様に考えることができる。
【００５３】
図５（Ａ）は接触帯電部材によって帯電された感光体表面電位を示し、図５（Ｂ）は接触除電部材によって除電された後の感光体表面電位を示している。除電後にあっては、図５（Ａ）に示されている帯電過多の部分が解消されていることが分かる。なお、この図５（Ａ），（Ｂ）はいずれもイメージ図である。
【００５４】
（表面電位の測定方法）
ここで、前記実験例及び比較例で行った表面電位の測定方法について説明する。
【００５５】
表面電位計（ＴＲＥＫ社製、表面電位計３４４とプローブ５５５Ｐ−１を使用）を現像位置に設置し、測定値はアナログＸＹレコーダで記録した。この表面電位計は非接触測定であり、測定スポットが広く、ミクロな帯電ムラを正確には検知できずに平均化して測定している。
【００５６】
つまり、図５に示した表面電位は画像から想定したイメージで描いたものであり、実測値をプロットすると図５（Ａ）の点線で示した電位Ｖｏ１のように平均化されてしまう。帯電過多の電位部分の面積は、他の均一な帯電部分の面積に比べて極端に小さいので、測定した帯電過多の電位は均一帯電部分の電位とほぼ等しくなる。その差は経験上１０Ｖ以下である。
【００５７】
電位Ｖｏ１は、接触帯電部材に電圧Ｖ１を印加し、接触除電部材への印加電圧をオフ（フロート状態）にして測定した。除電後の電位Ｖｏ２は、接触帯電部材及び接触除電部材にそれぞれ電圧Ｖ１，Ｖ２を印加して測定した。
【００５８】
電圧Ｖｔｈは、接触帯電部材への印加電圧を０Ｖとし、接触除電部材に電圧Ｖ３（電圧Ｖ１に相当する、例えば−１１００Ｖ）を印加し、そのときの表面電位Ｖｏ３を測定し、Ｖ３−Ｖｏ３の値として算出した。
【００５９】
（他の実施形態）
なお、本発明に係る接触帯電装置及び画像形成装置は前記実施形態に限定するものではなく、その要旨の範囲内で種々に変更することができる。
【００６０】
例えば、画像形成装置はフルカラー画像を形成するものでもよく、３原色及び黒色に分解された各画像を重ね合わせる方式はタンデム方式など種々の方式を採用することができる。
【図面の簡単な説明】
【図１】本発明に係る画像形成装置の一実施形態であるモノカラーのレーザプリンタを示す概略構成図である。
【図２】本発明に係る接触帯電装置の一実施形態を示す説明図である。
【図３】本発明に係る接触帯電装置に用いられる接触帯電部材（帯電ブラシ）の一例を示す斜視図である。
【図４】前記接触帯電部材の縦断面図である。
【図５】（Ａ）は除電前の感光体表面電位を示し、（Ｂ）は除電後の感光体表面電位を示すチャート図である。
【符号の説明】
１…感光体ドラム
２…接触帯電装置
３…レーザ露光光学装置
４…現像装置
２１…接触帯電部材
３１…接触除電部材
４１…定電圧電源
【図１】
2004287236.tif 000004
【図２】
2004287236.tif 000005
【図３】
2004287236.tif 000006
【図４】
2004287236.tif 000007
【図５】
2004287236.tif 000008